(57)【要約】硬質表面への塗布時に自己粘着性である洗浄組成物が提供される。洗浄組成物は、粘着促進剤と、水と、組成物と脱イオン水との混合物が少なくとも約１０のｐＨを有するように十分な量の塩基性製剤とを含む。粘着促進剤は、典型的には、少なくとも１つの親水性基を含む１種以上の有機化合物を含む。洗浄組成物はまた、アニオン性、非イオン性、カチオン性、両性及び／又は双性イオン性界面活性剤の群から選択される少なくとも１種の界面活性剤を含んでもよく、１つ以上の界面活性剤は、全部又は一部が粘着促進剤として役立ててもよい。【選択図】図１
2018522112.tif 000002
【特許請求の範囲】
【請求項１】
硬質表面処理用組成物であって、
（ａ）少なくとも１つの親水性基を有する有機化合物を含む粘着促進剤、
（ｂ）アニオン性、非イオン性、カチオン性、両性、双性イオン性及びそれらの組み合わせからなる群から選択される少なくとも１種の界面活性剤であって、少なくとも１種の界面活性剤の１種以上は全部又は一部が粘着促進剤として役立て得ること、
（ｃ）塩基性製剤、及び
（ｄ）水、を含み、
前記組成物は、硬質表面への塗布時に自己粘着性であり、１０重量％の組成物と脱イオン水との平衡混合物は、少なくとも約１０のｐＨを有する、組成物。
【請求項２】
前記粘着促進剤が、多糖類、親水性合成高分子及び／又は１つ以上の親水性ポリアルコキシ基を含む有機化合物を含む、請求項１に記載の組成物。
【請求項３】
前記組成物が２５℃で少なくとも１５０，０００センチポアズ（ｃＰ）の粘度を有する、請求項１又は２に記載の組成物。
【請求項４】
前記塩基性製剤が、アルカリ金属水酸化物及び／又はアルカリ土類水酸化物を含む、請求項１〜３のいずれか１項に記載の組成物。
【請求項５】
前記塩基性製剤が、ポリアルキレンポリアミン、アルカノールアミン及び／又はポリエーテルアミンを含むアミン化合物を含む、請求項１〜３のいずれか１項に記載の組成物。
【請求項６】
前記塩基性製剤がアルカノールアミンを含む、請求項１〜３のいずれか１項に記載の組成物。
【請求項７】
前記アルカノールアミンが、モノエタノールアミン（ＭＥＡ）、ジエタノールアミン、トリエタノールアミン、Ｎ、Ｎ−ジメチルエタノールアミン（ＤＭＥＡ）、Ｎ−メチルジエタノールアミン（ＢＨＥＭＡ）、２−アミノ−２−メチル−１−プロパノール及び／又はＯ−（２−ヒドロキシエチル）−エタノールアミン（ＤＧＡ）を含む、請求項６に記載の組成物。
【請求項８】
前記塩基性製剤が、下記式を有するポリアルキレンポリアミンを含む、請求項１〜３のいずれか１項に記載の組成物。
[化１]
Ｈ２Ｎ−（ＣＨ２−ＣＨＲ−ＮＨ）ｎ−ＣＨ２−ＣＨＲ−ＮＨ２及び／又は
Ｈ２Ｎ−（ＣＨ２−ＣＨ２−ＣＨ２−ＮＨ）ｍ−ＣＨ２−ＣＨ２−ＣＨ２−ＮＨ２
（ここで、ＲはＨ又はＭｅであり、ｎ及びｍは０又は１〜５の整数である。）
【請求項９】
前記塩基性製剤が、下記式を有するポリエーテルアミンを含む、請求項１〜３のいずれか１項に記載の組成物。
[化２]
Ｈ２Ｎ−ＣＨＭｅ−ＣＨ２−（Ｏ−ＣＨ２−ＣＨＭｅ）ｘ−ＮＨ２
（ここで、ｘは１〜１０の整数である。）
【請求項１０】
前記水系組成物が、さらに
（ｅ）ポリオール保湿剤、
（ｆ）香料成分、
（ｇ）各々炭素数８〜１５の炭素鎖を含む１種以上の直鎖第１級アルコール、及び
（ｉ）１種以上の補助剤の中の一つ以上を含む、請求項１〜９のいずれか１項に記載の組成物。
【請求項１１】
前記有機化合物が、少なくとも１つの親水性ポリアルコキシ基を含む、請求項１〜１０のいずれか１項に記載の組成物。
【請求項１２】
前記有機化合物が、ポリエチレングリコール、アルコキシル化アルコール、アルコキシル化ポリオール部分エステル及び／又は高分子アルキレン酸化物ブロック共重合体である、請求項１１に記載の組成物。
【請求項１３】
前記粘着促進剤が、エトキシル化アルコール、エチレン酸化物−プロピレン酸化物ブロック共重合体及び／又はポリエチレングリコールを含む、請求項１〜１２のいずれか１項に記載の組成物。
【請求項１４】
前記粘着促進剤が、平均１５〜５０個のエチレン酸化物単位を有するエトキシル化Ｃ１４〜Ｃ２２アルコール及びエチレン酸化物−プロピレン酸化物ブロック共重合体を含み、
前記組成物はさらに鉱油と、ポリオール保湿剤と、任意に香料成分とを含む、請求項１３に記載の組成物。
【請求項１５】
前記粘着促進剤が、平均１５〜５０個のエチレン酸化物単位を有するエトキシル化Ｃ１４〜Ｃ２２アルコールを含み、
前記組成物は、ポリオール保湿剤と、親水性ポリアクリル酸塩と、各々炭素数８〜１５の炭素鎖を含む平均２〜１０個のエチレン酸化物単位を有する１種以上のエトキシル化直鎖第１級アルコールと、任意に香料成分とを含む、請求項１に記載の組成物。
【請求項１６】
前記塩基性製剤が、ＤＧＡ、ＭＥＡ、ＢＨＥＭＡ、トリエチレンテトラアミン（ＴＥＴＡ）、及び／又はテトラエチレンペンタアミン（ＴＥＰＡ）を含む、請求項１５に記載の組成物。
【請求項１７】
前記粘着促進剤が、平均１５〜５０個のエチレン酸化物単位を有するエトキシル化Ｃ１４〜Ｃ２２アルコール及びポリエチレングリコールを含み、
前記組成物はポリオール保湿剤と、親水性ポリアクリル酸塩と、各々炭素数８〜１５の炭素鎖を含む１種以上の直鎖第１級アルコールと、アニオン界面活性剤と、任意に香料成分とを含む、請求項１に記載の組成物。
【請求項１８】
前記塩基性製剤が、ＤＧＡ、ＭＥＡ、及び／又はＢＨＥＭＡを含む、請求項１７に記載の組成物。
【請求項１９】
前記塩基性製剤が、ポリアルキレンポリアミン及び／又はアルカノールアミンを含む、請求項１７に記載の組成物。
【請求項２０】
前記塩基性製剤が、ＤＧＡ、ＭＥＡ、ＤＥＡ、トリエタノールアミン（ＴＥＡ）、ＢＨＥＭＡ、ＴＥＴＡ及び／又はＴＥＰＡを含む、請求項１〜３のいずれか１項に記載の組成物。
【請求項２１】
前記塩基性製剤が、下記式を有するポリエーテルアミンを含む、請求項１に記載の組成物。
[化３]
Ｈ２Ｎ−ＣＨＭｅ−ＣＨ２−（Ｏ−ＣＨ２−ＣＨＭｅ）ｙ−（Ｏ−ＣＨ２ＣＨ２）ｚ−（Ｏ−ＣＨ２−ＣＨＭｅ）ｘ−ＮＨ２
（ここで、ｚ、ｘ及びｙは整数であり、ｚは平均で約５〜１５であり、ｘ＋ｙは約２〜８であり、ポリエーテルアミンは約４００〜１，５００の平均分子量を有する。）
【請求項２２】
前記組成物が２５℃で３００，０００〜８００，０００センチポアズ（ｃＰ）の粘度を有する、請求項１〜２１のいずれか１項に記載の組成物。
【請求項２３】
前記組成物が、少なくとも約２，５００Ｐａのゲル降伏点硬度を有するゲルである、請求項２２に記載の組成物。
【請求項２４】
前記組成物が、約５０〜８０℃のゲル溶融温度を有するゲルである、請求項１〜２３のいずれか１項に記載の組成物。
【請求項２５】
前記組成物が、２５℃で少なくとも約１５０，０００センチポアズ（ｃＰ）の粘度を有するゲルである、請求項１に記載の組成物
【請求項２６】
前記組成物が、
平均１５〜３５個のエチレン酸化物単位を有するエトキシル化Ｃ１６〜Ｃ１８アルコールを２０〜３５重量％、
平均２〜１５個のエチレン酸化物単位を有するエトキシル化Ｃ１０〜Ｃ１５アルコールを１〜５重量％、
ポリアルキレンポリアミン、アルカノールアミン及び／又はポリエーテルアミンを含むアミン化合物を０．５〜５重量％、
ポリエチレングリコールを０〜約５重量％、
鉱油を０．１〜２重量％、
グリセリンを２〜１０重量％、
親水性ポリアクリル酸塩を０．１〜２重量％、
香料成分を２〜１０重量％、及び
水を少なくとも４０重量％、を含む、請求項１に記載の組成物。
【請求項２７】
前記組成物が、
平均１５〜３５個のエチレン酸化物単位を有するエトキシル化Ｃ１６〜Ｃ１８アルコールを２０〜３５重量％、
平均２〜１５個のエチレン酸化物単位を有するエトキシル化Ｃ１０〜Ｃ１５アルコールを１〜５重量％、
水酸化ナトリウムを０．０５〜０．５重量％、
ポリエチレングリコールを０〜約５重量％、
鉱油を０．１〜２重量％、
グリセリンを２〜１０重量％、
親水性ポリアクリル酸塩を０．１〜２重量％、
香料成分を２〜１０重量％、及び
水を少なくとも４０重量％、を含む、請求項１に記載の組成物。
【請求項２８】
前記塩基性製剤が、下記式を有するアルカノールアミンを含む、請求項１に記載の組成物。
［化４]
Ｒ’−（Ｏ−ＣＨ２−ＣＨＲ）Ｙ−Ｎ−（ＣＨ２−ＣＨ２−Ｏ）Ｘ−Ｈ−（ＣＨ２−ＣＨ２−Ｏ）Ｚ−Ｈ
（ここで、ｘ、ｚ及びｙは１〜５の整数であり、Ｒ’はＣ１０〜Ｃ１６脂肪族基である。）
【請求項２９】
前記塩基性製剤が、下記式を有するポリエーテルアミンを含む、請求項１に記載の組成物。
［化５]
Ｒ’−（Ｏ−ＣＨ２ＣＨ２）ｚ−（Ｏ−ＣＨ２−ＣＨＭｅ）ｘ−ＮＨ２
（Ｒ’は低級（Ｃ１〜Ｃ６）アルキルであり、ｘは１〜５０の整数であり、ｚは１〜１０の整数である。）
【請求項３０】
前記塩基性製剤が、下記式を有するポリエーテルアミンを含む、請求項１に記載の組成物。
［化６]
Ｈ２Ｎ−ＣＨＭｅ−ＣＨ２−（Ｏ−ＣＨ２−ＣＨＭｅ）ｙ−（Ｏ−ＣＨ２ＣＨ２）ｚ−（Ｏ−ＣＨ２−ＣＨＭｅ）ｘ−ＮＨ２
（ここで、ｚは５〜２０の整数であり、ｙ及びｚは０〜１０の整数である。）
【請求項３１】
（ｙ＋ｚ）の和が約２〜１０である、請求項３０に記載の組成物。
【請求項３２】
ペンダント第４級アンモニウム基を含む両性ポリアクリル酸塩共重合体をさらに含む、請求項１〜３１のいずれか１項に記載の組成物。
【請求項３３】
ポリエチレングリコール、鉱油及びポリオール保湿剤の中の１つ以上をさらに含む、請求項１に記載の組成物。
【請求項３４】
香料成分をさらに含む、請求項１〜３３のいずれか１項に記載の組成物。
【請求項３５】
前記塩基性製剤が、下記式で表されるポリエーテルアミンを含む、請求項１に記載の組成物。
［化７]
Ｒ”−（Ｏ−ＣＨ２ＣＨ２）Ｚ−（Ｏ−ＣＨ２−ＣＨＲ）Ｘ−ＮＨ２
（ここで、ｚは平均で約３〜１０であり、ｘは平均で約２０〜５０であり、ポリエーテルアミンは約１，０００〜３，０００の平均分子量を有する。）
【請求項３６】
前記塩基性製剤が、下記式を有するポリエーテルアミンを含む、請求項１に記載の組成物。
［化８]
Ｈ２Ｎ−ＣＨＭｅ−ＣＨ２−（Ｏ−ＣＨ２−ＣＨＭｅ）Ｘ−ＮＨ２
（ここで、ｘは整数であり、ポリエーテルアミンは、約２〜５のｘの平均値を有すり、ポリエーテルアミンは約２００〜３００の平均分子量を有する。）
【請求項３７】
低蒸気圧、高引火点の炭化水素又は炭化水素混合物を含む共硬化剤をさらに含む、請求項１に記載の組成物。
【発明の詳細な説明】
【技術分野】
【０００１】
本発明は、非腐食性高アルカリ性洗浄組成物に関する。
【背景技術】
【０００２】
チーズ又はチュロス生地（食品産業）及びコーキング物質などの高粘性製品を送達するために噴射ガスを使用するエアロゾルシステムが知られている。一般に、このような用途では、製品製剤及び噴射ガスは、袋のようなバリアによって物理的に分離されている。袋の外部に存在する噴射剤は、袋の内部に収容された物質を送達するためにエアロゾルアクチュエータを作用させた後に袋を押す。送達される製品は、エアロゾル缶体及び弁カップ部品から物理的に隔離されているため、該製品と鋼のような合金との間の不適合性又は腐食可能性は問題ではない。このような技術（一般に弁入りの袋（ｂａｇ−ｉｎ−ｖａｌｖｅ）又は缶入りの袋（ｂａｇ−ｉｎ−ｃａｎ）として知られている）は、一部の製品に広く採用されているが、これらの非伝統的なエアロゾル構成要素は、実施的に伝統的なエアロゾルディスペンサよりも製造ラインで取り扱うのに非常に高価で扱いにくい。従って、加工及びコストを考慮すると、このような非伝統的なエアロゾルシステムは、浴室洗浄剤のような特定のカテゴリーの製品には適していないと考えられている。現在、他の利用可能な対案は、アルミニウムのような不活性金属及び合金からなるエアロゾル缶の使用である。しかし、袋ベースの技術と同様に、アルミニウム部品は従来の鋼系エアロゾルディスペンサより高価である。
【０００３】
残念なことに、典型的に粘性エアロゾル物質用ディスペンサとして使用される錫メッキ鋼缶は、典型的な便器洗浄ゲルのｐＨ（例えば、約４〜６のｐＨ）を有する物質と接触する場合、容易に腐食する。水含有製剤のｐＨを増加させると、製剤と接触する鋼の腐食を低減させる可能性があるが、所与の製剤の物性に対する塩基性物質の添加の効果は不明である。ｐＨを変えるために洗浄ゲル物質へ塩基性物質を添加することによる、このような製剤の変形効果は、洗浄ゲルのゲルレオロジー、感覚特性、送達特性、持続性、表面粘着性及び／又は乾燥特性を変化させることができる。そのｐＨを上昇させるために洗浄ゲル製剤に塩基性製剤を添加する場合、そのレオロジープロファイル（例えば、ゲル点、降伏応力など）、表面粘着特性、濡れ性、保湿性、（例えば、複数の便器洗い流しの後の）水性環境における耐久性／溶解性プロフィール及び芳香機能などのゲルの他の好ましい特性に悪影響を及ぼさないように行うことが好ましい。
【発明の概要】
【課題を解決するための手段】
【０００４】
本出願は、一般に洗浄組成物の分野、特に、便器の内面のような硬質表面の洗浄に特に有用であり得る洗浄組成物に関する。本出願は、典型的には、硬質表面、例えば垂直又は傾斜した硬質表面への塗布時に自己粘着する洗浄組成物を提供する。組成物は一般にゲルであり、好ましくはエアロゾル形態で塗布され得る。洗浄組成物は、水と、塩基性製剤（即ち、組成物中でアルカリ性の供給源として役立て得る化合物）と、典型的には各々少なくとも１つの親水性基を含む１種以上の有機化合物を含む粘着促進剤とを含む。洗浄組成物はまた、組成物と接触する水が少なくとも約１０のｐＨを有する（例えば、１０重量％の組成物と脱イオン水との平衡混合物は少なくとも約１０のｐＨを有する）ように十分な量の塩基性製剤を含む。一般に、洗浄組成物はまた、アニオン性、非イオン性、カチオン性、両性及び／又は双性イオン性界面活性剤の群から選択される少なくとも１種の界面活性剤を含み、１種以上の界面活性剤は全部又は一部が粘着促進剤として役立ててもよい。
【０００５】
本洗浄組成物では、粘着促進剤は、多糖類、親水性合成高分子及び／又は１つ以上の親水性ポリアルコキシ基を含む有機化合物を含んでもよい。１つ以上の親水性ポリアルコキシ基を含む有機化合物の適切な例には、ポリエチレングリコール、アルコキシル化アルコール、アルコキシル化ポリオール部分エステル及び高分子アルキレン酸化物ブロック共重合体が含まれる。例えば、粘着促進剤は、エトキシル化アルコール、エトキシル化ポリオール部分エステル、ポリエチレングリコール及び／又はエチレン酸化物−プロピレン酸化物ブロック共重合体を含んでもよい。
【０００６】
本発明の洗浄組成物は、好ましくは、約５０〜９０℃、より一般には約５５〜８０℃のゲル溶融温度を有する。いくつかの例では、本発明の洗浄ゲルは、好ましくは約６０〜７０℃のゲル溶融温度を有してもよい。かなり典型的には、本発明の洗浄組成物は、２５℃で少なくとも約１５０，０００ｍＰａ・ｓ、そして多くの場合２５℃で少なくとも約２５０，０００〜８００，０００ｍＰａ・ｓの粘度を有する。いくつかの実施形態では、本発明の洗浄組成物は、２５℃で約８００，０００ｍＰａ・ｓ以下の粘度を有してもよい。多くの実施形態では、洗浄組成物は、２５℃で約３００，０００〜６００，０００ｍＰａ・ｓの粘度を有するゲル形態である。本発明の洗浄組成物のより高粘度の形態として、例えば、２５℃で少なくとも約５００，０００ｍＰａ・ｓ、そして多くの場合２５℃で約６００，０００〜８００，０００ｍＰａ・ｓの粘度を有するものは、好ましくは少なくとも約２，５００Ｐａのゲル降伏点を有する。多くの実施形態では、洗浄組成物は、約２，５００〜４，５００Ｐａ、いくつかの例では、約３，０００〜４，０００Ｐａのゲル降伏点を有するゲル形態である。
【０００７】
腐食の影響を受けやすい鋼又は他の物質から製造された容器に本発明の洗浄組成物のエアロゾル形態を容易に包装するために、塩基性ｐＨを有する洗浄ゲルを製剤化することが有利であり得る。電気化学的促進腐食試験（ａｃｃｅｌｅｒａｔｅｄ  ｅｌｅｃｔｒｏｃｈｅｍｉｃａｌ  ｃｏｒｒｏｓｉｏｎ  ｔｅｓｔ）によると、本発明の洗浄組成物が、従来のエアロゾル成分（例えば、錫メッキ鋼容器）内で典型的に直面する金属との長期間の接触に適していることを実証した。本発明の洗浄組成物は、好ましくは、１０重量％の洗浄組成物と脱イオン水との平衡混合物が少なくとも約１０、少なくとも約１０．５、一般に約１０．５〜１２のｐＨを有するように十分な量の塩基性製剤を含む。
【０００８】
本発明の洗浄組成物に含まれる塩基性製剤は、アミン化合物及び／又は無機塩基性物質（例えば、アルカリ金属水酸化物及び／又はアルカリ土類水酸化物など）を含んでもよい。塩基性製剤がアミンである場合、最終ゲル製剤中のアミンの有効濃度は、通常約３０重量％以下、一般に約１０重量％以下、より一般には約０．５〜５重量％である。塩基性製剤は、ポリアルキレンポリアミン、アルカノールアミン及び／又はポリエーテルアミンなどのアミン化合物を含んでもよい。塩基性製剤がアルカリ金属水酸化物及び／又はアルカリ土類水酸化物を含む場合、最終ゲル製剤は、通常、このような無機塩基性物質を約３重量％以下、典型的には約０．０５〜０．５重量％含む。非常に一般的な無機塩基性物質には、水酸化ナトリウム及び／又は水酸化カリウムが含まれる。
【０００９】
一実施形態は、粘着促進剤、塩基性製剤及び水を含む硬質表面処理用洗浄組成物を提供する。粘着促進剤は、少なくとも１つの親水性基を有する有機化合物を含む。洗浄組成物は、典型的には、アニオン性、非イオン性、カチオン性、両性及び双性イオン性界面活性剤、及びそれらの組み合わせからなる群から選択される少なくとも１種の界面活性剤をも含み、１種以上の界面活性剤は全部又は一部が粘着促進剤として役立て得る。一般に、該組成物は硬質表面への塗布時に自己粘着性である。洗浄組成物は、一般に、１０重量％の組成物と脱イオン水との平衡混合物が少なくとも約１０のｐＨを有するように十分な量の塩基性製剤を含有する。粘着促進剤の適切な例には、多糖類、親水性合成高分子及び／又は１つ以上の親水性ポリアルコキシ基を含む有機化合物が含まれる。洗浄組成物はまた、ポリオール湿潤剤（例えば、グリセリン）、香料成分、粘着促進剤とは異なる非イオン性界面活性剤、鉱油などの１種以上の追加成分を含んでもよく、また１種以上の追加の補助剤を含んでもよい。例えば、洗浄組成物はまた、香料、錯化剤、及び／又は漂白剤などの１種以上の補助剤を含んでもよい。
【００１０】
いくつかの実施形態では、本発明の組成物は、活性成分を便器又は他の硬質表面の比較的広い領域に送達する利益を消費者に提供し得る。いくつかの実施形態では、自己粘着性組成物の安定性は、自己粘着性組成物を、高分子アルキレン酸化物ブロック共重合体（例えば、エチレン酸化物−プロピレン酸化物ブロック共重合体）又は他の界面活性剤と共にエトキシル化アルコールの特定のブレンドの組成物中へ包含することによって改善され得る。多くの実施形態では、硬質表面（例えば、便器内面など）上の組成物の容量は、それぞれの水の定期的な流れ（例えば、便器の洗い流し）の間及びその後に部分的に溶解して湿潤膜を提供し、該湿潤膜が典型的には硬質表面上の組成物からあらゆる方向に生じる。上記硬質表面上の組成物の容量から生じる湿潤膜は、硬質表面の即時及び後処理（ｒｅｓｉｄｕａｌ  ｔｅｓｔ）のために、組成物の活性成分（例えば、洗浄性界面活性剤及び／又はスケール可溶化剤などの洗浄剤）の送達ビヒクルを提供し得る。該組成物は、組成物中に存在する少なくとも１種の活性製剤を湿潤膜を介して、容量配置のための所定の位置から離れた硬質表面の拡張領域に送達するために使用され得る。
【００１１】
一態様では、本明細書に記載された自己粘着性洗浄組成物を使用して硬質表面を処理する方法も提供される。本発明の方法は、典型的には、例えば、組成物のエアロゾル形態を硬質表面の所定の部分に散布することによって、処理すべき硬質表面上に自己粘着性組成物の容量を直接塗布することを含む。水が自己粘着性組成物及び硬質表面を通過すると、該自己粘着性組成物の容量上に流れる水中にその自己粘着性組成物の一部が放出される。流れる水中に放出される自己粘着性組成物の一部は、硬質表面の少なくとも一部上に湿潤膜を提供し得る。例えば、上記方法は、便器の内測を処理するために使用されてもよい。任意の容量の自己粘着性組成物を便器の内面に直接塗布してもよい。便器が洗い流されると、水が自己粘着性組成物の容量を通過して自己粘着性組成物の一部が便器を通って流れる水中に放出される。
【００１２】
さらに、当業者であれば、計量ディスペンサと組み合わせて使用する場合、ディスペンサは、意図される用途に適した任意の容積及び／又はサイズで組成物の容量を提供し得ることを理解するであろう。同様に、ディスペンサの形状は、所望される任意の形状であってもよい。例えば、例示的な実施形態では、本発明のゲル組成物を散布するために、好ましくはエアロゾル塗布を介してディスペンサが使用される。このようなディスペンサは、意図された目的に好ましい様々な形状で組成物を散布可能である。断面形状の非限定的な例は、正方形、円、三角形、楕円形、星形、リング状などから選択してもよい。
【図面の簡単な説明】
【００１３】
【図１】様々な第１級、第２級及び第３級アルカノールアミンについてのｐＫａに対するｐＨ（脱イオン水中の指定アミンの５重量％溶液の場合）のプロットのグラフである。
【図２】３重量％の指示されたアミン又は０．１５重量％の水酸化ナトリウム（ＮａＯＨ）のいずれかを含有する製剤Ｂに基づくゲルについてのゲル点（℃）対３０℃での粘度（ｋｃＰ）のプロットのグラフである。
【図３】３重量％の指示されたアミン又は０．１５重量％のＮａＯＨのいずれかを含有する製剤Ｂに基づくゲルについてのゲル点（℃）対８０℃での粘度（ｋｃＰ）のプロットのグラフである。
【図４】３重量％の指示されたアミン又は０．１５重量％のＮａＯＨのいずれかを含有する製剤Ａ、Ｂ又はＣのいずれかに基づくゲルについてのゲル点（℃）対３０℃での粘度（ｋｃＰ）のプロットのグラフである。
【発明を実施するための形態】
【００１４】
使用中、本発明の組成物は、便器、シャワー又は浴室の囲い、排水口、窓などの処理（例えば、洗浄）すべき硬質表面上に直接エアロゾルを塗布してもよく、自己粘着性組成物及び表面を通過する水の複数の流れなど、例えば、洗い流し、シャワー、すすぎなどによって好ましく自己粘着されてる。水が組成物の上を流れるたびに、組成物の一部は組成物上を流れる水の中に放出される。水中に放出された組成物の一部は、表面に連続的な湿潤膜を提供して、その結果、組成物中に存在する活性剤によって、即時及び長期の洗浄及び／又は消毒及び／又は芳香又は他の表面処理を提供する。組成物、さらに組成物の活性剤は、表面に直接接触して最初の組成物配置から広がるか、又は最初の組成物配置から送達されて、表面上の拡張領域を連続的に被覆すると考えられる。湿潤膜は被膜として作用し、すすぎ水の流れに対する方向を含む組成物からあらゆる方向、即ち３６０度で自己粘着性組成物から生じてもよい。液体の表面の動きは、その表面下の流体の動きと結合されるため、液体の運動は、通常、表面応力を生じさせ、逆もまた同様である。上記組成物は、便器の水ラインの上及び水ラインの下の表面上に所望の活性剤の送達及び保持を可能にするため、便器の表面を処理する際に特に有用であり得る。
【００１５】
一態様では、洗浄組成物は、硬質表面に自己粘着することができ、該物質の腐食性を低減するための塩基性製剤を含んでもよい。塩基性製剤は、１０重量％の組成物と脱イオン水との平衡混合物が少なくとも約１０、より一般には少なくとも約１０．５のｐＨを有するように十分な量で添加されることが好ましい。アミンが塩基性製剤として含まれる場合、最終ゲル製剤は通常、約１０重量％以下、より一般には約０．５〜５重量％のアミンを含む。いくつかの例では、最終ゲル製剤は、塩基性製剤として、アルカリ金属水酸化物及び／又はアルカリ土類水酸化物を、通常このような無機塩基性物質（例えば、水酸化ナトリウム及び／又は水酸化カリウム）の約１重量％以下、典型的には約０．１〜０．５重量％含む。
【００１６】
いくつかの実施形態では、塩基性製剤はアルカノールアミンを含む。塩基性製剤として使用するのに適したアルカノールアミンの例としては、エタノールアミン及び／又はプロパノールアミンが含まれる。アルカノールアミンは、モノアルカノールアミン、ジアルカノールアミン、トリアルカノールアミン及び／又はジグリコールアミンであってもよい。例えば、塩基性製剤は、モノエタノールアミン（ＭＥＡ）、ジエタノールアミン（ＤＥＡ）及び／又はトリエタノールアミン（ＴＥＡ）を含んでもよい。塩基性製剤として使用するための適切なアルカノールアミンの他の例には、Ｎ、Ｎ−ジメチルエタノールアミン（ＤＭＥＡ）、Ｎ−メチルジエタノールアミン（ＢＨＥＭＡ）、２−アミノ−２−メチル−１−プロパノール及びＯ−（２−ヒドロキシエチル）エタノールアミン（ＤＧＡ）が含まれる。
【００１７】
アルカノールアミンはまた、下記式を有する化合物を含んでもよい。
［化１]
Ｒ’−（Ｏ−ＣＨ２−ＣＨＲ）Ｙ−Ｎ−（ＣＨ２−ＣＨ２−Ｏ）Ｘ−Ｈ−（ＣＨ２−ＣＨ２−Ｏ）Ｚ−Ｈ
ここで、ｘ、ｚ及びｙは１〜５の整数であり、Ｒ’はＣ１０〜Ｃ１６脂肪族基である。ｘ及びｚが２又は３であり、ｙが２であり、Ｒ’がＣ１４脂肪族基であるこのようなアルカノールアミンの一例は、Ｈｕｎｔｓｍａｎ  Ｃｏｒｐｏｒａｔｉｏｎによって商品名Ｓｕｒｆｏｎｉｃ  ＰＥＡ−２５として販売されている。
【００１８】
いくつかの実施形態では、塩基性製剤は、ポリアルキレンポリアミンを含んでもよい。適切なポリアルキレンポリアミンの例には、下記式を有するポリアルキレンポリアミンを含む。
［化２]
Ｈ２Ｎ−（ＣＨ２−ＣＨＲ−ＮＨ）ｎ−ＣＨ２−ＣＨＲ−ＮＨ２及び／又は
Ｈ２Ｎ−（ＣＨ２−ＣＨ２−ＣＨ２−ＮＨ）ｍ−ＣＨ２−ＣＨ２−ＣＨ２−ＮＨ２
ここで、ＲはＨ又はＭｅであり、ｎ及びｍは、０又は１〜５の整数である。典型的には、ポリアルキレンポリアミンは、式：Ｈ２Ｎ−（ＣＨ２−ＣＨ２−ＮＨ）ｎ−ＣＨ２−ＣＨ２−ＮＨ２を有する。いくつかの実施形態では、塩基性製剤は、好ましくは、ポリアルキレンポリアミンとしてトリエチレンテトラアミン（ＴＥＴＡ、ｎ＝２）及び／又はテトラエチレンペンタアミン（ＴＥＰＡ、ｎ＝３）を含んでもよい。
【００１９】
いくつかの実施形態では、塩基性製剤はポリエーテルアミンを含んでもよい。適切な例には、少なくとも３モルのエーテルサブユニットを含む分岐鎖ポリエーテルアミンが含まれる。塩基性製剤としての使用に適したポリエーテルアミンの例には、下記式を有する化合物が含まれる。
［化３]
Ｈ２Ｎ−ＣＨＭｅ−ＣＨ２−（Ｏ−ＣＨ２−ＣＨＭｅ）ｘ−ＮＨ２
Ｒ”−（Ｏ−ＣＨ２ＣＨ２）ｚ−（Ｏ−ＣＨ２−ＣＨＲ）ｘ−ＮＨ２
Ｒ”−（Ｏ−ＣＨ２ＣＨ２）ｚ−（Ｏ−ＣＨ２−ＣＨＭｅ）ｘ−ＮＨ２及び／又は
Ｈ２Ｎ−ＣＨＭｅ−ＣＨ２−（Ｏ−ＣＨ２−ＣＨＭｅ）ｙ−（Ｏ−ＣＨ２ＣＨ２）ｚ−（Ｏ−ＣＨ２−ＣＨＭｅ）ｘ−ＮＨ２
ここで、ＲはＨ又はＭｅであり、Ｒ”は低級（Ｃ１〜Ｃ６）アルキル、典型的にはメチル及び／又はエチルであり、ｘは１〜５０の整数であってもよく、ｚは１〜２０の整数であってもよく、ｙは０〜１０の整数であってもよい。
【００２０】
下記式を有する適切なポリエーテルアミンの例としては、ｚが平均で約３〜１０（好適には５〜７）であり、ｘが平均で約２０〜５０（好適には３０〜４０）である化合物が含まれる。
[化４]
Ｒ”−（Ｏ−ＣＨ２ＣＨ２）Ｚ−（Ｏ−ＣＨ２−ＣＨＲ）Ｘ−ＮＨ２
典型的には、このようなポリエーテルアミンは、約１，０００〜３，０００の平均分子量を有する。１つの適切な例は、Ｈｕｎｔｓｍａｎ  Ｃｏｒｐｏｒａｔｉｏｎによって販売されているＪＥＦＦＡＭＩＮＥ（登録商標）Ｍ−２０７０ポリエーテルアミンである。このポリエーテルアミンは、ｚが６でありかつｘが約３５である代表的な構造によって示されるように、共重合体主鎖に基づくモノアミンであり、約２，０００の平均分子量を有する一官能性第１級アミンである。プロピレン酸化物／エチレン酸化物（ＰＯ／ＥＯ）モル比は一般に約１／３であり、ここで、（ＥＯ）についてはＲはＨでり、（ＰＯ）についてはＲはＣＨ３である。
【００２１】
下記式を有する適切なポリエーテルアミンの例としては、ｚが平均で約５〜１５であり、ｘ＋ｙが約２〜８である化合物が含まれる。
[化５]
Ｈ２Ｎ−ＣＨＭｅ−ＣＨ２−（Ｏ−ＣＨ２−ＣＨＭｅ）ｙ−（Ｏ−ＣＨ２ＣＨ２）ｚ−（Ｏ−ＣＨ２−ＣＨＭｅ）ｘ−ＮＨ２
典型的には、このようなポリエーテルアミンは、約４００〜１，５００の平均分子量を有する。適切な例には、Ｈｕｎｔｓｍａｎ  Ｃｏｒｐｏｒａｔｉｏｎによって販売されているＪＥＦＦＡＭＩＮＥ（登録商標）ＥＤ−６００及びＪＥＦＦＡＭＩＮＥ（登録商標）ＥＤ−９００ポリエーテルアミンが含まれる。ＪＥＦＦＡＭＩＮＥ（登録商標）ＥＤ−６００ポリエーテルアミンは、水溶性液体であり、プロピレン酸化物でキャップされたポリエチレングリコールから誘導された脂肪族ポリエーテルジアミンであり、約６００の分子量を有する。示された構造において、ＪＥＦＦＡＭＩＮＥ（登録商標）ＥＤ−６００についてｚが約９であり、（ｘ＋ｙ）が約３．６である。ＪＥＦＦＡＭＩＮＥ（登録商標）ＥＤ−９００ポリエーテルアミンは、類似の構造を有し、水溶性であり、約９００の分子量及び室温付近の融点を有する。示されている構造では、ＪＥＦＦＡＭＩＮＥ（登録商標）ＥＤ−９００ついてｚが約１２．５であり、（ｘ＋ｙ）が約６である。
【００２２】
下記式を有する適切なポリエーテルアミンの例としては、ｘが平均で約２〜５である化合物が含まれる。
[化６]
Ｈ２Ｎ−ＣＨＭｅ−ＣＨ２−（Ｏ−ＣＨ２−ＣＨＭｅ）ｘ−ＮＨ２
典型的には、このようなポリエーテルアミンは、約２００〜３００の平均分子量を有する。適切な１つの例には、Ｈｕｎｔｓｍａｎ  Ｃｏｒｐｏｒａｔｉｏｎによって販売されるＪＥＦＦＡＭＩＮＥ（登録商標）Ｄ−２３０ポリエーテルアミンである。このポリエーテルアミンは、主鎖にオキシプロピレン繰り返し単位を有することを特徴であり約２３０の平均分子量を有する二官能性第１級アミンである（ｘの平均は約２．５である）。
【００２３】
特定の態様では、本発明の洗浄組成物は、アルコキシル化アルコールのような粘着促進剤、塩基性製剤、ポリオール保湿剤、鉱油、ポリエチレングリコール及び水を含んでもよい。該組成物はまた、アニオン性界面活性剤（例えば、エトキシル化脂肪アルコール硫酸エステル及び／又はスルホン酸エステルなど）、香料及び／又はＣ１０〜Ｃ１５脂肪アルコールを含んでもよい。例えば、洗浄組成物は、エキシル化アルコール、塩基性製剤、アニオン性硫酸エステル（例えばラウレス硫酸ナトリウムなど）、グリセリン、鉱油、ポリエチレングリコール及び水を含んでもよい。例示的な実施形態では、洗浄組成物は、平均１５〜４０個のエチレン酸化物単位を有するエトキシル化Ｃ１４〜Ｃ２２脂肪アルコールを約２０〜３５重量％、ラウレス硫酸ナトリウムを約１０〜２５重量％、グリセリンを約２〜１０重量％、ポリエチレングリコールを約０．５〜５重量％、鉱油を約０．５〜３重量％、及び水を少なくとも約４０重量％を含む水系ゲルである。このような水系組成物はまた、香料成分を約１〜１０重量％を含んでもよい。これらの組成物は、典型的には、塩基性製剤としてアミン化合物を約０．５〜５重量％含む。いくつかの実施形態では、組成物は、塩基性製剤として無機塩基性物質、例えば水酸化ナトリウムを約０．０５〜０．５重量％含んでもよい。
【００２４】
特定の態様では、本発明の洗浄組成物は、アルコキシル化脂肪アルコールのような粘着促進剤、塩基性製剤、ポリオール保湿剤、親水性ポリアクリル酸塩共重合体、エトキシル化Ｃ１０〜Ｃ１５アルコール非イオン性界面活性剤及び水を含んでもよい。水系組成物はまた、香料、ポリエチレングリコール及び／又は鉱油を含んでもよい。例えば、洗浄組成物は、エキシル化アルコール（例えば、平均１５〜４０個のエチレン酸化物単位を有するエトキシル化Ｃ１４〜Ｃ２２脂肪アルコール）、塩基性製剤、グリセリン、平均２〜５個のエチレン酸化物単位を有するエトキシル化Ｃ１０〜Ｃ１５アルコール、ペンダント第４級アンモニウム基を含む両性ポリアクリル酸塩共重合体（例えば、Ｒｈｏｄｉａから入手可能なＭＩＲＡＰＯＬ  ＳＵＲＦ  Ｓ）、及び水を含んでもよい。例示的な実施形態では、水系組成物は、平均約１５〜４０個のエチレン酸化物単位を有するエトキシル化Ｃ１４〜Ｃ２２脂肪アルコールを約２０〜３５重量％、エトキシル化Ｃ１０〜Ｃ１５アルコールを約１〜５重量％、グリセリンを約２〜１０重量％、両性ポリアクリル酸塩共重合体を約０．５〜２重量％及び水を少なくとも約４０重量％を含むゲルである。このような水系組成物はまた、香料成分を約１〜１０重量％、ポリエチレングリコールを約０．５〜５重量％及び／又は鉱油を約０．５〜３重量％含んでもよい。これらの組成物は、典型的には、塩基性製剤としてアミン化合物を約０．５〜５重量％含む。いくつかの実施形態では、組成物は、塩基性製剤として無機塩基性物質、例えば水酸化ナトリウムを約０．０５〜０．５重量％含んでもよい。
【００２５】
特定の態様では、本発明の洗浄組成物は、アルコキシル化脂肪アルコールのような粘着促進剤、塩基性製剤、ポリオール保湿剤、鉱油、カチオン性界面活性剤、及び水を含んでもよい。このような水系組成物はまた、香料成分及び／又は他の添加剤を含んでもよい。例えば、洗浄組成物は、エキシル化アルコール（例えば、平均１５〜４０個のエチレン酸化物単位を有するエトキシル化Ｃ１４〜Ｃ２２脂肪アルコール）と、塩基性製剤と、グリセリンと、鉱油と、ペンダント第４級アンモニウム基を有するアルキルポリグルコシド誘導体のようなカチオン性界面活性剤と、水とを含んでもよい。例示的な実施形態では、水系組成物は、約１５〜４０個のエチレン酸化物単位を有するエトキシル化Ｃ１４〜Ｃ２２脂肪アルコールを約２０〜３５重量％、鉱油を約０．５〜３重量％、グリセリンを約２〜１０重量％、アルキルポリグルコシド誘導体を約１〜５重量％、及び水を少なくとも約４０重量％を含むゲル（噴射剤の非存在下）である。このような水系組成物はまた、香料成分を約１〜１０重量％を含んでもよい。これらの組成物は、典型的には、塩基性製剤としてアミン化合物を約０．５〜５重量％含む。いくつかの実施形態では、組成物は、塩基性製剤として無機塩基性物質、例えば水酸化ナトリウムを約０．０５〜０．５重量％含んでもよい。
【００２６】
特定の態様では、本発明の洗浄組成物は、アルコキシル化脂肪アルコールのような粘着促進剤、塩基性製剤、アニオン性界面活性剤（例えば、エトキシル化脂肪アルコール硫酸エステル及び／又はスルホン酸エステル）、ポリオール保湿剤、鉱油、親水性ポリアクリル酸塩共重合体及び水を含んでもよい。水系組成物はまた、香料成分を含んでもよい。例えば、洗浄組成物は、エキシル化アルコール（例えば、平均１５〜４０個のエチレン酸化物単位を有するエトキシル化Ｃ１４〜Ｃ２２脂肪アルコール）と、アニオン性硫酸エステル（例えば、ラウレス硫酸ナトリウム）と、グリセリンと、鉱油と、ペンダント第４級アンモニウム基を含む両性ポリアクリル酸塩共重合体（例えば、Ｒｈｏｄｉａから入手可能なＭＩＲＡＰＯＬ  ＳＵＲＦ  Ｓ）と、水とを含んでもよい。例示的な実施形態では、水系組成物は、約１５〜４０個のエチレン酸化物単位を有するエトキシル化Ｃ１４〜Ｃ２２脂肪アルコールを約２０〜３５重量％、ラウレス硫酸ナトリウムを約１０〜２５重量％、両性ポリアクリル酸塩共重合体を約０．１〜３重量％、グリセリンを約２〜１０重量％、鉱油を約１〜３重量％、及び水を少なくとも約４０重量％を含むゲル（噴射剤の非存在下）である。このような水系組成物はまた、香料成分を約１〜１０重量％を含んでもよい。これらの組成物は、典型的には、塩基性製剤としてアミン化合物を約０．５〜５重量％含む。いくつかの実施形態では、組成物は、塩基性製剤として無機塩基性物質、例えば水酸化ナトリウムを約０．０５〜０．５重量％含んでもよい。
【００２７】
特定の態様では、洗浄組成物は、アルコキシル化アルコール（例えば、エトキシル化アルコール）、高分子アルキレン酸化物ブロック共重合体（例えば、エチレン酸化物−プロピレン酸化物ブロック共重合体）、塩基性製剤、鉱油及び水を含む。いくつかの実施形態では、洗浄組成物は、天然又は合成高分子樹脂、ポリオール湿潤剤（例えばグリセリン、ソルビトール及び／又は他の糖アルコールなど）、及び／又はアルコキシル化アルコールではないアニオン性及び／又は両性及び／又は非イオン性界面活性剤などの１種以上の追加成分を含んでもよい。任意に、洗浄組成物はまた、香料、錯化剤及び／又は漂白剤などの１種以上の補助剤を含んでもよい。アルコキシル化アルコール成分は、様々なエトキシル化度を有するエトキシル化アルコールの混合物を含んでもよい。例えば、エトキシル化アルコール成分は、平均約２０〜５０個のエチレン酸化物単位を有するエトキシル化Ｃ１４〜Ｃ３０アルコール及び平均約５〜１５のエチレン酸化物単位を有するエトキシル化Ｃ８〜Ｃ１５アルコールを含んでもよい。いくつかの実施形態では、このような組成物は、少なくとも約２，５００Ｐａのゲル降伏点及び／又は約５０〜８０℃のゲル溶融温度を有するゲルであってもよい。
【００２８】
他の態様では、洗浄組成物は、粘着促進剤がエトキシル化アルコール、例えば平均１５〜５０個のエチレン酸化物単位を有するエトキシル化Ｃ１２〜Ｃ３０アルコール、エチレン酸化物−プロピレン酸化物ブロック共重合体、塩基性製剤、鉱油、及び水を含む粘着性洗浄組成物であってもよい。いくつかの実施形態では、洗浄組成物は、平均２０〜５０個のエチレン酸化物単位を有するエトキシル化Ｃ１４〜Ｃ３０アルコールである第１級エトキシル化アルコールを約１５〜４０重量％、エチレン酸化物−プロピレン酸化物ブロック共重合体を約１〜１５重量％、鉱油を約０．５〜１０重量％、塩基性製剤及び水を含んでもよい。これらの組成物は、典型的には、塩基性製剤としてアミン化合物を約０．５〜５重量％含む。いくつかの実施形態では、組成物は、塩基性製剤として無機塩基性物質、例えば水酸化ナトリウムを約０．０５〜０．５重量％含んでもよい。洗浄組成物は、多くの場合、平均約５〜１５個のエチレン酸化物単位を有するエトキシル化Ｃ８〜Ｃ１５アルコールも含んでもよい。
【００２９】
本発明の組成物はまた、非イオン性、アニオン性、カチオン性、双性イオン性及び／又は両性界面活性剤及びこれらの混合物から選択される界面活性剤を含んでもよく、界面活性剤は粘着促進剤とは異なる。いくつかの実施形態では、組成物は、界面活性剤を約２０重量％以下、約０．１重量％〜１５重量％、約０．５〜１０重量％、約１〜約５重量％、又は約１０〜２０重量％を含んでもよい。界面活性剤は、粘着促進剤とは異なる１種以上のアルコキシル化アルコールを含んでもよい。アルコキシル化アルコールは、１種以上のエトキシル化アルコールを含んでもよい。エトキシル化アルコールは、直鎖であっても分岐鎖であってもよい。いくつかの実施形態では、エトキシル化アルコールは、平均５〜１５個のエチレン酸化物単位、より一般には５〜１２個のエチレン酸化物単位を有するＣ８〜Ｃ１６アルコールを含んでもよい。典型的には、存在する場合、エトキシル化アルコールとしては、平均５〜１２個のエチレン酸化物単位を有するＣ９〜Ｃ１５直鎖及び／又は分岐鎖アルコールが含まれる。非限定的な例としては、平均１０個のエチレン酸化物単位を有する分枝鎖イソＣ１３アルコールエトキシレートであるゲナポール（登録商標）Ｘ−１００（ＣＬＡＲＩＡＮＴから入手可能）である。
【００３０】
本発明の洗浄組成物中に非イオン性界面活性剤として存在し得る他のエトキシル化アルコールとしては、平均４〜１２個のエチレン酸化物単位を有するＣ５〜Ｃ１５アルコールを含む直鎖又は分岐鎖エトキシ化アルコールが含まれる。非限定的な例としては、平均６個のエチレン酸化物単位を有するＣ９〜Ｃ１１エトキシル化アルコールであるＴｏｍａｄｏｌ（登録商標）９１−６、平均８個のエチレン酸化物単位を有する合成Ｃ１３〜Ｃ１５エトキシル化オキソアルコールであるＬＵＴＥＮＳＯＬ（登録商標）ＡＯ−８（ＢＡＳＦから入手可能）、平均７個のエチレン酸化物単位を有するエトキシル化ラウリルアルコールであるゲナポール（登録商標）ＬＡ  ０７０Ｓ（ＣＬＡＲＩＡＮＴから入手可能）、及び７個のエチレン酸化物単位を有する分岐鎖第２級エトキシル化アルコールであるＴＥＲＧＩＴＯＬ（登録商標）１５−Ｓ−７（ＤＯＷ  Ｃｈｅｍｉｃａｌから入手可能）が含まれる。適切なエトキシル化直鎖アルコールの他の例としては、例えば平均５〜１２個のエチレン酸化物単位を有するＣ１０〜Ｃ１５  ｎ−アルキル基を有するエトキシル化直鎖アルコールが含まれる。非限定的な例としては、平均１０個のＥＯ基を有するエトキシル化トリデシルアルコールであるＬＵＴＥＮＳＯＬ（登録商標）ＴＤＡ  １０（ＢＡＳＦから入手可能）が含まれる。
【００３１】
存在し得る他の非イオン性界面活性剤としては、第２級エトキシル化アルコール、例えばＣ１１〜Ｃ１５第２級エトキシル化アルコールが含まれるが、これら限定されない。使用に適した第２級エトキシル化アルコールは、ＴＥＲＧＩＴＯＬ（登録商標）（Ｄｏｗ  Ｃｈｅｍｉｃａｌから入手可能）の商品名で販売されている。例えば、ＴＥＲＧＩＴＯＬ（登録商標）１５−Ｓ、より詳細にはＴＥＲＧＩＴＯＬ（登録商標）１５−Ｓ−１２は、平均約１２個のエチレン酸化物基を有するＣ１１〜Ｃ１５第２級エトキシレートアルコールである。
【００３２】
他の例示的な有用な非イオン性界面活性剤としては、様々な公知の非イオン性界面活性剤化合物が含まれる。実際には、窒素に遊離水素が結合したカルボキシ、ヒドロキシ、アミド又はアミノ基を有する任意の疎水性化合物は、エチレン酸化物又はその多水化生成物、ポリエチレングリコールと縮合して、様々な水溶解度を有する非イオン性界面活性剤化合物を形成し、これは疎水性及び親水性ポリエチレンオキシ要素の相対的長さに依存する。例示的な非イオン性化合物には、アルキル芳香族ヒドロキシ化合物のポリオキシエチレンエーテル、例えばアルキル化ポリオキシエチレンフェノール、長鎖脂肪族アルコールのポリオキシエチレンエーテル（例えばエトキシル化アルコール）、疎水性プロピレン酸化物高分子のポリオキシエチレンエーテル及び高級アルキルアミン酸化物が含まれる。
【００３３】
任意に洗浄組成物中に存在し得る更なる非イオン性界面活性剤はアルキルポリグリコシド（例えば、Ｇｌｕｃｏｐｏｎ（登録商標）４２５Ｎ）である。適切なアルキルポリグリコシドとしては、アルカリ性でありかつ電解質に安定な周知の非イオン性界面活性剤が含まれる。アルキルモノ及びポリグリコシドは、一般に、単糖類又は単糖類に加水分解可能な化合物を、酸性媒質中の脂肪アルコールのようなアルコールと反応させることによって調製される。脂肪アルコールは、約８〜３０個、典型的には８〜１８個の炭素原子を有してもよい。このようなアルキルグリコシドの例としては、５０％Ｃ９〜Ｃ１１アルキルポリグリコシド（Ｈｅｎｋｅｌ  Ｃｏｒｐ、Ａｍｂｌｅｒ  Ｐａから市販されている）と報告されているＡＰＧ  ３２５  ＣＳ  ＧＬＹＣＯＳＩＤＥと５０％Ｃ１０〜Ｃ１６アルキルポリグリコシドと報告されているＧＬＵＣＯＰＯＮ（登録商標）６２５  ＣＳが含まれる。いくつかの実施形態では、非イオン性界面活性剤は、平均５〜１２個のエチレン酸化物単位を有するアルキルポリグリコシド及び／又はエトキシル化Ｃ８〜Ｃ１５アルコールを含んでもよい。
【００３４】
本発明の組成物に使用するのに適したアルキルポリグリコシドは、下記式であってもよい。
[化７]
ＲＯ−（Ｒ’Ｏ）ｘ−Ｚｎ
ここで、Ｒは８〜２０個の炭素原子を含む１価の脂肪族ラジカルであり（脂肪族基は直鎖又は分枝鎖の飽和又は不飽和であってもよい）、Ｒ’は２〜４つの炭素原子を含む２価のアルキルラジカル、好ましくはエチレン又はプロピレンであり、ｘは平均値が約０〜約１２の数であり、Ｚはグルコース、ガラクトース、グルコシル又はガラクトシル残基などの５又は６つの炭素原子を含む還元糖部分であり、ｎは平均値が約１〜約１０の数である。いくつかの例示的なアルキルポリグリコシドは、ＧＬＵＣＯＰＯＮ（登録商標）（ここで、Ｚはグルコース部分であり、ｘは０である）の名称で販売されている。
【００３５】
更なる適切な非イオン性界面活性剤には、直鎖アルキルアミン酸化物が含まれる。典型的な直鎖アルキルアミン酸化物としては、式：Ｒ１−Ｎ（Ｒ２）（Ｒ３）Ｏの水溶性アミン酸化物が含まれ、ここで、Ｒ１は典型的にはＣ８〜Ｃ１８アルキル部分であり、Ｒ２及びＲ３部分は典型的には水素、Ｃ１〜Ｃ３アルキル基、及びＣ１〜Ｃ３ヒドロキシアルキル基からなる群から選択される。多くの場合、Ｒ１はＣ８〜Ｃ１８ｎ−アルキルであり、Ｒ２及びＲ３はメチル、エチル、プロピル、イソプロピル、２−ヒドロキシエチル、２−ヒドロキシプロピル及び／又は３−ヒドロキシプロピルである。直鎖アミン酸化物界面活性剤は、特に、直鎖Ｃ１０〜Ｃ１８アルキルジメチルアミン酸化物及び直鎖Ｃ８〜Ｃ１２アルコキシエチルジ（ヒドロキシエチル）アミン酸化物を含んでもよい。特に適切なアミン酸化物には、直鎖Ｃ１０、直鎖Ｃ１０〜Ｃ１２、及び直鎖Ｃ１２〜Ｃ１４アルキルジメチルアミン酸化物が含まれる。アミン酸化物非イオン性界面活性剤の他の例としては、アルキルアミドプロピルアミン酸化物、例えばラウリル／ミリスチルアミドプロピルアミン酸化物（例えば、ラウリル／ミリスチルアミドプロピルジメチルアミン酸化物）が含まれる。
【００３６】
更なる適切な非イオン性界面活性剤には、ポリエトキシ化脂肪エステルが含まれる。これらには、例えば、ポリエトキシル化ソルビタンモノオレエート、ソルビタンモノラウレート、ソルビタンモノパルミテート及び／又はソルビタンモノステアレート、及びポリエトキシル化ヒマシ油が含まれる。このような界面活性剤の特定の例は、エチレン酸化物（例えば、１０〜２５モル）とソルビタンモノオレエートとの縮合生成物及びエチレン酸化物（例えば、２０〜４０モル）とヒマシ油との縮合生成物である。
【００３７】
組成物は、鉱油、ポリオール保湿剤、及び補助剤の中の１つ以上をさらに含んでもよい。いくつかの実施形態では、組成物は、鉱油、ポリオール保湿剤、抗菌剤、及び香料成分の中の１つ以上をさらに含んでもよい。いくつかの実施形態では、組成物は、鉱油を約１０重量％以下、約０．１〜５重量％、又は約０．２〜３重量％含んでもよい。
【００３８】
適切なポリオール湿潤剤の例としては、グリセリン、グリコール類（例えば、エチレングリコール、プロピレングリコール、ジエチレングリコール、ジプロピレングリコール、ブチレングリコールなど）、糖アルコール類（例えば、ソルビトール、キシリトール、及びマルチトールなど）、糖類（例えば、グルコース、ガラクトース、又はグルコシル又はガラクトシル残基を有する化合物など）、及びこれらの混合物が含まれる。いくつかの実施形態では、組成物はポリオール保湿剤を約２０重量％以下、又はより一般には約１重量％〜１０重量％含んでもよい。いくつかの実施形態では、組成物は、グリセリンを約１重量％〜１０重量％又は約１重量％〜５重量％含んでもよい。
【００３９】
本明細書で使用する補助剤としては、追加の機能性物質のような成分又は製剤を含んでもよい。いくつかの実施形態では、機能性物質は、洗浄組成物に所望の特性及び機能性を提供するために含まれ得る。この適用の目的上、用語「機能物質」は、濃縮液及び／又は使用溶液、例えば水溶液に分散又は溶解されたときに、特定の用途について有益な特性を提供する物質を含む。本発明の組成物は、任意に他の汚れ消化成分、界面活性剤、消毒剤、洗剤充填材、清浄剤、酸味料、錯化剤、殺生剤及び／又は殺菌剤、腐食防止剤、再付着防止剤、泡抑制剤、二酸化チタンのような不透明化剤、染料、漂白剤（過酸化水素及び他の過酸化物）、酵素、酵素安定化系、ビルダー、増粘剤又はゲル化剤、湿潤剤、分散剤、安定剤、分散剤高分子、洗浄化合物、ｐＨ調整剤（酸及びアルカリ剤）、汚れ防止剤、及び／又は香料を含んでもよい。いくつかの実施形態では、組成物は、香料成分を、約１０重量％以下、約１重量％〜１０重量％、又は約２重量％〜８重量％含んでもよい。
【００４０】
一実施形態では、本技術による組成物は、単位容量を提供するディスペンサに提供されてもよい。特定の実施形態では、単位容量は、約４ｇ／容量〜約１０ｇ／容量であってもよい。他の実施形態では、単位容量は、約５ｇ／容量〜約９ｇ／容量であってもよい。さらに他の実施形態では、ディスペンサは、約６／容量〜約８ｇ／容量の単位容量を提供してもよい。いくつかの実施形態では、ディスペンサは、約３〜約１２の単位容量を提供してもよい。いくつかの実施形態では、ディスペンサは、追加の組成物で再充填されてもよい。
【００４１】
本明細書で使用される「組成物」とは、２つ以上の成分を有する任意の固体、ゲル及び／又はペースト物質を指す。
【００４２】
本明細書で使用される、「自己粘着」又は「自己粘着剤」とは、別個の粘着剤又は他の補助装置を必要とせずに、硬質表面上に粘着する組成物の能力を指す。一実施形態では、自己粘着性組成物は、一端組成物が使い尽くされると、残存物又は他の物質（即ち、追加の粘着剤）を残さない。
【００４３】
本明細書で使用される「ゲル」とは、非ゼロの降伏応力を有する相互に作用する粒子又は高分子の網を有する液体からなる不規則な固体を指す。
【００４４】
本明細書で使用される「香料」とは、任意の香水、臭気除去剤、臭気マスキング剤など、及びそれらの組み合わせを指す。いくつかの実施形態では、香料は、消費者又はユーザの嗅覚に影響を及ぼす可能性がある物質である。
【００４５】
本明細書で使用される「重量％」とは、全製剤中の成分の重量百分率を指す。例えば、市販されている製剤Ｘの商業的組成物は、７０％の活性成分Ｘのみ含有してもよい。従って、１０ｇの市販の組成物は、７ｇのＸのみ含有する。１０ｇの市販の組成物を９０ｇの他の成分に添加すると、Ｘ量（重量％）はわずか最終製剤の７％である。
【００４６】
本明細書で使用される「硬質表面」とは、任意の多孔質及び／又は非多孔質表面を指す。一実施形態では、硬質表面は、セラミック、ガラス、金属、高分子、石、及びそれらの組み合わせからなる群から選択されてもよい。この適用の目的上、硬質表面は、シリコンウェハ及び／又は他の半導体基板物質を含まない。セラミック表面の非限定的な例としては、便器、シンク、シャワー、タイルなど、及びそれらの組み合わせが含まれる。ガラス表面の非限定的な例としては、窓などが含まれる。金属表面の非限定的な例としては、排水管、シンクなどが含まれる。高分子表面の非限定的な例としては、ＰＶＣ配管、ガラス繊維、アクリル、Ｃｏｒｉａｎ（登録商標）などが含まれる。石の硬質表面の非限定的な例としては、花崗岩、大理石などが含まれる。
【００４７】
硬質表面は、任意の形状、サイズ、又はその所望の目的に適した任意の配向を有してもよい。１つの非限定的な例では、硬質表面は、垂直構成に配向されてもよい。別の非限定的な例では、硬質表面は、セラミック便器のような曲面の表面であってもよい。さらに別の非限定的な例では、硬質表面は、垂直及び水平要素を有する管の内側であってもよく、湾曲要素を有してもよい。硬質表面の形状、サイズ及び／又は配向は、以下に記載する条件下における組成物の予想外に強い輸送特性のために、本発明の組成物に影響しないと考えられる。
【００４８】
本明細書で使用される「界面活性剤」とは、液体、例えば水の表面張力を低下させる任意の製剤を指す。本発明の組成物と共に使用するのに適した例示的な界面活性剤は以下に記載されている。一実施形態では、界面活性剤は、アニオン性、非イオン性、カチオン性、両性、双性イオン性及びそれらの組み合わせからなる群から選択され得る。一実施形態では、洗浄組成物は、カチオン性界面活性剤を実質的に含まなくてもよい。いくつかの実施形態では、洗浄組成物は、アニオン界面活性剤を実質的に含まなくてもよい。
【００４９】
本明細書中で使用される「実質的に含まない」とは、約０．１重量％未満のを含むか、又は検出可能な量の成分を含まない組成物を指す。
【００５０】
本明細書で使用される「ゲル溶融温度」とは、ゲル組成物がゲルの温度が上昇するにつれて約１００ｃｐｓ未満の粘度に転移する温度を指す。測定は、７５０マイクロンの間隙、５℃／分の温度勾配、３０℃〜８０℃の温度範囲及び５ｓ−１のせん断速度を有する４ｃｍステンレス鋼平行板形状を使用するＴＡ  Ｉｎｓｔｒｕｍｅｎｔｓ  ＡＲ２０００  Ａｄｖａｎｃｅｄ  Ｓｅｒｉｅｓレオメーターを使用して行われる。一実施形態では、ゲル溶融温度は、少なくとも約５０℃、少なくとも約５５℃、又は少なくとも約６０℃であってもよい。他の実施形態では、ゲル溶融温度は、約８０℃以下、約７５℃以下、又は約７０℃以下であってもよい。ゲル溶融温度は、約５０℃〜８０℃の範囲内であってもよい。いくつかの実施形態では、ゲル溶融温度は、約５５℃〜７５℃、又はより好ましくは約６０℃〜７０℃であってもよい。
【００５１】
本明細書で使用される「ゲル降伏点」とは、組成物が固体の弾性状態から粘性の流体状態に移行するのに必要な最小応力を指す。本明細書で言及されるように、ゲル降伏点は、７５０マイクロンの間隙、５℃／分の温度勾配、３０℃〜８０℃のの温度範囲、及び５ｓ−１のせん断速度を有する４ｃｍステンレス鋼平行板形状を使用するＴＡ  Ｉｎｓｔｒｕｍｅｎｔｓ  ＡＲ２０００  Ａｄｖａｎｃｅｄ  Ｓｅｒｉｅｓレオメーターを使用して決定される。いくつかの実施形態では、本発明のゲル組成物は、約２，５００〜４，５００Ｐａ、より好ましくは約３，０００〜４，０００Ｐａの降伏点を有してもよい。
［実施例］
【００５２】
以下の実施例は、上記の様々な実施形態による本発明の洗浄組成物をより具体的に説明することを意図している。これらの実施例は、決して本技術の範囲を限定するものと解釈されるべきではない。
【００５３】
以下の表１は、本出願による非腐食性ゲルの多くの例示的製剤の組成を示す。製剤（Ａ、Ｂ又はＣ）は、塩基性製剤として約１〜４重量％のアミン又は０．１〜０．３重量％のＮａＯＨを添加して調製してもよい。任意の塩基性製剤を添加していない対応する製剤のゲル点及び粘度（３０℃で単位ｋｃＰ）を比較の目的で表に記載する。
【００５４】
３重量％の種々のアミン又は０．１５重量％のＮａＯＨを含む製剤（Ｂ）の調製後にパターン化し、得られたゲルのゲル点及び粘度を測定した。種々のアルカノールアミン（ＭＥＡ、ＴＥＡ、ＤＧＡ及びＢＨＥＭＡ）、ポリエーテルアミン（ＪＥＦＦＡＭＩＮＥ（登録商標）Ｄ−２３０、ＥＤ  ６００、ＥＤ  ９００及びＭ−２０７０）及びポリアルキレンポリアミン（ＴＥＴＡ及びＴＥＰＡ）を使用して例示的ゲルを調製した。図２は、ゲル点及び周辺温度粘度についてこれらの塩基性製剤を含むことの相対的効果を示す。アルカノールアミンＭＥＡ及びＤＧＡ、ポリエーテルアミンＤ−２３０、ＥＤ  ６００、ＥＤ  ９００及びＭ−２０７０及びポリアルキレンポリアミンＴＥＴＡ及びＴＥＰＡの添加は、塩基性製剤を添加しない対応する製剤に非常に類似したゲル点（例えば約６２〜６６℃のゲル点）を有するゲルを生成した。アルカノールアミンＭＥＡ、ＢＨＥＭＡ及びＤＧＡ、ポリエーテルアミンＤ−２３０及びポリアルキレンポリアミンＴＥＴＡ及びＴＥＰＡの添加により、３０℃で３００〜７００ｋｃＰの粘度を有するゲルが得られた。
【００５５】
図３は、ゲルの（８０℃での）高温粘度について製剤（Ｂ）中に種々の塩基性製剤を含むことの相対的効果を示す。このような温度でより低い粘度を有するゲルは、このようなゲルから形成される製品の製造プロセスを容易にし得る。図３は、製剤（Ｂ）に基づく種々のゲルについての８０℃でのゲル点（℃）対粘度（ｃＰ）のプロットのグラフである。試験したゲルの大部分は、この高温で約２５０ｃＰ以下の粘度を示す。特に注目すべきは、アルカノールアミンＭＥＡ、ＢＨＥＭＡ及びＤＧＡ、ポリエーテルアミンＤ−２３０、ＥＤ  ６００、ＥＤ  ９００及びＭ−２０７０、及びポリアルキレンポリアミンＴＥＴＡ及びＴＥＰＡの添加を含むゲルである。
【００５６】
【表１】
2018522112.tif 000003
【００５７】
図４は、ゲルのゲル点及びゲルの周辺温度粘度に関する製剤（Ａ）、（Ｂ）又は（Ｃ）における様々な塩基性製剤を含む相対的効果を示す。これらの特性を目的とする「理想的な領域」は、約５５〜７０℃のゲル点及び約３００，０００〜７００，０００ｃＰの（３０℃での）粘度である。多くの実施形態は、アルカノールアミンＭＥＡ、ＢＨＥＭＡ又はＤＧＡを含むか又はＮａＯＨが添加された製剤（Ｂ）に基づくゲルを含むこれらの基準を満たす。ＮａＯＨが添加された製剤（Ａ）及びアルカノールアミンＭＥＡ、ＢＨＥＭＡ又はＤＧＡを含むか又はＮａＯＨが添加された製剤（Ｃ）に基づくゲルは、許容粘度の目標範囲（３０℃で１５０，０００ｃＰ超過）内でゲル点を示した。
［例示的な実施形態］
【００５８】
以下では、本明細書に記載される主題の多くの例示的な実施形態が参照される。以下の実施形態は、本明細書に記載される主題の様々な特徴、特性、及び利点を含んでもよい例示的な実施形態を記載する。従って、以下の実施形態は、全ての可能な実施形態を網羅していると見なされるべきではなく、本明細書に記載の方法、物質及び組成物の範囲を制限するものではない。
【００５９】
一実施形態は、少なくとも１つの親水性基を有する有機化合物を含む粘着促進剤、塩基性製剤及び水を含む硬質表面処理用洗浄組成物を提供する。洗浄組成物は、典型的には、アニオン性、非イオン性、カチオン性、両性及び双性イオン性界面活性剤、及びそれらの組み合わせからなる群から選択される少なくとも１種の界面活性剤をも含み、１種以上の界面活性剤は全部又は一部が粘着促進剤として役立て得る。一般に、洗浄組成物は硬質表面への塗布時に自己粘着性である。洗浄組成物は、一般に、１０重量％の組成物と脱イオン水との平衡混合物が少なくとも約１０のｐＨを有するように十分な量の塩基性製剤を含有する。粘着促進剤の適切な例には、多糖類、親水性合成高分子及び／又は１つ以上の親水性ポリアルコキシ基を含む有機化合物が含まれる。例えば、粘着促進剤は、ポリアクリル酸塩、ポリビニルアルコール及び／又はポリビニルピロリドンなどの親水性合成高分子を含んでもよい。いくつかの例では、粘着促進剤は、カルボキシメチルセルロースナトリウム、ヒドロキシエチルセルロース、ヒドロキシプロピルセルロース、キサンタンガム、寒天、ゼラチンガム、アカシアガム、イナゴマメ粉及び／又はグアーガムなどの多糖類を適切に含んでもよい。一般に、粘着促進剤は、少なくとも１つの親水性ポリアルコキシ基を含む有機化合物を含む。このような有機化合物の適切な例としては、ポリエチレングリコール、アルコキシル化アルコール、アルコキシル化ポリオール部分エステル及び／又は高分子アルキレン酸化物ブロック共重合体が含まれる。いくつかの実施形態では、洗浄組成物は、鉱油、ナフテン油、及び／又はパラフィン油などの低蒸気圧、高引火点の炭化水素又は炭化水素混合物も含んでもよい。多くの実施形態では、洗浄組成物は、２５℃で少なくとも約１５０，０００ｍＰａ・ｓ、より一般には２５℃で約２５０，０００〜６００，０００ｍＰａ・ｓの粘度を有するゲルである。
【００６０】
いくつかの実施形態では、塩基性製剤は、ポリアルキレンポリアミン、アルカノールアミン及び／又はポリエーテルアミンを含むアミン化合物を含む。洗浄組成物は、アミン化合物を約１０重量％以下含んでもよい。適切には、洗浄組成物は、アミン化合物を約０．５〜１０重量％、一般に約１〜５重量％含む。
【００６１】
いくつかの実施形態では、塩基性製剤は、アルカリ金属水酸化物及び／又はアルカリ土類水酸化物を含む。洗浄組成物は、アルカリ金属水酸化物及び／又はアルカリ土類水酸化物を約３重量％以下含んでもよい。塩基性製剤がアルカリ金属水酸化物及び／又はアルカリ土類水酸化物を含む場合、最終ゲル製剤は、通常、このような無機塩基性物質を約１重量％以下、典型的には約０．０５〜０．５重量％含む。多くの場合、最終ゲル製剤は水酸化ナトリウム及び／又は水酸化カリウムを約０．１〜０．３重量％含む。
【００６２】
いくつかの実施形態では、塩基性製剤はアルカノールアミン、例えばモノアルカノールアミン、ジアルカノールアミン、トリアルカノールアミン及び／又はジグリコールアミンを含む。適切なアルカノールアミンの例としては、エタノールアミン及び／又はプロパノールアミンが含まれる。適切なアルカノールアミンの他の例としては、モノエタノールアミン（ＭＥＡ）、ジエタノールアミン、トリエタノールアミン、Ｎ、Ｎ−ジメチルエタノールアミン（ＤＭＥＡ）、Ｎ−メチルジエタノールアミン（ＢＨＥＭＡ）、２−アミノ−２−メチル−１−プロパノール及び／又はＯ−２−ヒドロキシエチル）エタノールアミン（ＤＧＡ）が含まれる。
【００６３】
いくつかの実施形態では、塩基性製剤は、ポリアルキレンポリアミン、例えば、下記式を有するポリアルキレンポリアミンを含んでもよい。
[化８]
Ｈ２Ｎ−（ＣＨ２−ＣＨＲ−ＮＨ）ｎ−ＣＨ２−ＣＨＲ−ＮＨ２及び／又は
Ｈ２Ｎ−（ＣＨ２−ＣＨ２−ＣＨ２−ＮＨ）ｍ−ＣＨ２−ＣＨ２−ＣＨ２−ＮＨ２
ここで、ＲはＨ又はＭｅであり、ｎ及びｍは、０，１，２，３又は４である。典型的には、ポリアルキレンポリアミンは、式：Ｈ２Ｎ−（ＣＨ２−ＣＨ２−ＮＨ）ｎ−ＣＨ２−ＣＨ２−ＮＨ２を有する（ここで、ｎは１、２及び／又は３である）。
【００６４】
いくつかの実施形態では、塩基性製剤は、下記式を有するポリエーテルアミンを含んでもよい。
[化９]
Ｈ２Ｎ−ＣＨＭｅ−ＣＨ２−（Ｏ−ＣＨ２−ＣＨＭｅ）ｘ−ＮＨ２
ここで、ｚは平均で約３〜１０（好適には５〜７）であり、ｘは平均で約２０〜５０（好適には３０〜４０）である。このようなポリエーテルアミンは、約１，０００〜３，０００の平均分子量を有してもよい。
【００６５】
いくつかの実施形態では、塩基性製剤は、下記式を有するポリエーテルアミンを含んでもよい。
[化１０]
Ｈ２Ｎ−ＣＨＭｅ−ＣＨ２−（Ｏ−ＣＨ２−ＣＨＭｅ）ｙ−（Ｏ−ＣＨ２ＣＨ２）ｚ−（Ｏ−ＣＨ２−ＣＨＭｅ）ｘ−ＮＨ２
ここで、ｚは平均で約５〜１５であり、ｘ＋ｙは約２〜８である。このようなポリエーテルアミンは、約４００〜１，５００の平均分子量を有してもよい。
【００６６】
いくつかの実施形態では、塩基性製剤は、下記式を有するポリエーテルアミンを含んでもよい。
[化１１]
Ｈ２Ｎ−ＣＨＭｅ−ＣＨ２−（Ｏ−ＣＨ２−ＣＨＭｅ）ｘ−ＮＨ２
ここで、ｘは平均で約２〜５であり、ポリエーテルアミンは典型的に約２００〜３００の平均分子量を有する。
【００６７】
多くの実施形態では、洗浄組成物は、エトキシル化アルコール、エチレン酸化物−プロピレン酸化物ブロック共重合体及び／又はポリエチレングリコールを含む粘着促進剤を含む。例えば、粘着促進剤は、平均１５〜５０個のエチレン酸化物単位を有するエトキシル化Ｃ１４〜Ｃ２２アルコール及びエチレン酸化物−プロピレン酸化物ブロック共重合体を含んでもよい。このようなゲルはまた、一般に鉱油と、ポリオール保湿剤と、任意に香料成分とを含む。
【００６８】
一実施形態では、洗浄組成物は、粘着促進剤として平均１５〜５０個のエチレン酸化物単位を有するエトキシル化Ｃ１４〜Ｃ２２アルコールを含むゲルである。該組成物はまた、ポリオール保湿剤と、親水性ポリアクリル酸塩と、各々炭素数８〜１５の炭素鎖を含む平均２〜１０個のエチレン酸化物単位を有する１種以上のエトキシル化直鎖第１級アルコールと、任意に香料成分とを含む。このようなゲルは、好ましくは、塩基性製剤としてＤＧＡ、ＭＥＡ、ＢＨＥＭＡ、ＴＥＴＡ、ＴＥＰＡ及び／又はＥＤ  ６００を含んでもよい。
【００６９】
一実施形態では、洗浄組成物は、ポリエチレングリコール及び平均１５〜５０個のエチレン酸化物単位を有するエトキシル化Ｃ１４〜Ｃ２２アルコールを含み、また、ポリオール保湿剤と、親水性ポリアクリル酸塩と、各々炭素数８〜１５の炭素鎖を含む１種以上の直鎖第１級アルコールと、アニオン界面活性剤と、任意に香料成分とを含むゲルである。このようなゲルは、好ましくは塩基性製剤としてアルカノールアミン、例えばＤＧＡ、ＭＥＡ及び／又はＢＨＥＭＡを含んでもよい。他の実施形態では、このようなゲルは、塩基性製剤としてポリアルキレンポリアミン、例えばトリエチレンテトラアミン（ＴＥＴＡ）及び／又はテトラエチレンペンタアミン（ＴＥＰＡ）を含んでもよい。
【００７０】
いくつかの実施形態では、洗浄組成物は、粘着促進剤を含み、２５℃での少なくとも約１５０，０００ｃＰ、一般に約３００，０００〜８００，０００センチポアズ（ｃＰ）の粘度を有するゲルである。ゲルは、平均２０〜３５個のエチレン酸化物単位を有するエトキシル化直鎖Ｃ１４〜Ｃ２２第１級脂肪族アルコールを含む粘着促進剤を適切に含んでもよい。ゲルは、典型的には、約５０〜８０℃、より好ましくは約５５〜７０℃のゲル溶融温度を有する。いくつかの例では、ゲルは少なくとも約２，５００Ｐａのゲル降伏点を有してもよい。該組成物は、１種以上のポリオール保湿剤、香料成分、粘着促進剤とは異なる非イオン性界面活性剤、鉱油及び／又は１種以上の補助剤を含んでもよい。多くの例では、ゲルは、塩基性製剤として、ＤＧＡ、ＭＥＡ、ＤＥＡ、ＴＥＡ、ＢＨＥＭＡ、ＴＥＴＡ、ＴＥＰＡ、ＥＤ  ６００、ＥＤ  ９００、Ｄ２３０及び／又はＭ２０７０などのアミンを含むことが好ましい。塩基性製剤として、ＤＧＡ、ＭＥＡ、ＤＥＡ、ＴＥＡ、ＢＨＥＭＡ、ＴＥＴＡ及び／又はＴＥＰＡを含むこのようなゲルを形成することが特に有利であり得る。
【００７１】
いくつかの実施形態では、洗浄組成物は、平均１５〜３５個のエチレン酸化物単位を有するエトキシル化Ｃ１６〜Ｃ１８アルコールを約２０〜３５重量％、平均２〜１５個のエチレン酸化物単位を有するエトキシル化Ｃ１０〜Ｃ１５アルコールを約１〜５重量％、ポリアルキレンポリアミン、アルカノールアミン及び／又はポリエーテルアミンを含むアミン化合物を約０．５〜５重量％、ポリエチレングリコールを０〜約５重量％、鉱油を約０．１〜２重量％、グリセリンを約２〜１０重量％、親水性ポリアクリル酸塩を約０．１〜２重量％、香料成分を約２〜１０重量％、及び水を少なくとも約４０重量％を含むゲルである。
【００７２】
いくつかの実施形態では、洗浄組成物は、平均１５〜３５個のエチレン酸化物単位を有するエトキシル化Ｃ１６〜Ｃ１８アルコールを約２０〜３５重量％、平均２〜１５個のエチレン酸化物単位を有するエトキシル化Ｃ１０〜Ｃ１５アルコールを約１〜５重量％、水酸化ナトリウムを約０．０５〜０．５重量％、ポリエチレングリコールを０〜約５重量％、鉱油を約０．１〜２重量％、グリセリンを約２〜１０重量％、親水性ポリアクリル酸塩を約０．１〜２重量％、香料成分を約２〜１０重量％、及び水を少なくとも約４０重量％を含むゲルである。
【００７３】
（添付された）スキームＡは、本発明の洗浄ゲルにおける使用に適した多くの例示的なアミン化合物の構造を示す。
【００７４】
本発明の範囲及び精神から逸脱することなく、本明細書に開示された方法及び組成物に様々な置換及び変更を施すことができることは、当業者には容易に明らかであろう。使用された用語及び表現は、限定ではなく説明の用語として使用され、このような用語および表現の使用において、図示および説明された特徴の等価物またはその一部を除外することは意図されていないが、本発明の範囲内で様々な変更が可能であることが認識される。従って、本発明は、特定の実施形態及び任意の特徴によって例示されているが、本明細書に開示された概念の変更及び／又は変形は、当業者によって採用されてもよく、このような変更及び変形が本発明の範囲内にあると理解されるべきである。
【００７５】
加えて、本発明の特徴又は態様がマーカッシュ群又は代替の他の集団に関して記載されている場合、当業者は、本発明がそれによってマーカッシュ群又は他の群中の部材の任意の個々の部材又は下位群に関して記載されることを認識するであろう。
【００７６】
また、逆に示されない限り、様々な数値が実施形態に提供される場合、追加の実施形態は、任意の２つの異なる値を範囲の端点として取ることによって記載される。このような範囲も、記載された発明の範囲内である。
【図１】
2018522112.tif 000004
【図２】
2018522112.tif 000005
【図３】
2018522112.tif 000006
【図４】
2018522112.tif 000007
【国際調査報告】
2018522112.tif 000008
2018522112.tif 000009
2018522112.tif 000010
2018522112.tif 000011
2018522112.tif 000012